(57)【要約】【課題】操作ボタン部分における防水性の更なる向上を図ることができるインターホン機器を提供する。【解決手段】防水カバー１３の折り返し部２９を、前ケース２の挿通孔４２周縁部と発光部材１２の段部２６とで前後から挟持された状態とするとともに、折り返し部２９の後方において防水カバー１３の外縁部１３ａを、発光部材１２の後端（後部２５の先端）と光拡散板１４とで前後から挟持された状態とする。そして、このように外周縁部で挟持された防水カバー１３により、制御基板１７の前側を覆うようにした。したがって、たとえ操作部材１１と発光部材１２との隙間から、操作部材１２の後側へ水が浸入してきたとしても、防水カバー１３を超えて制御基板１７側へ、ひいては本体ケース内部への更なる浸入が防止されることになり、高い防水性を発揮することができる。【選択図】図２
2018170599.tif 000002
【特許請求の範囲】
【請求項１】
前面に挿通孔が開設された本体ケースと、
透光性を有する合成樹脂により成形されているとともに、前記挿通孔を介して前記本体ケースの前面側に露出する前部、及び前記挿通孔の周縁部と前後方向で重なる段部を介して前記前部の後側に設けられ、正面視が前記前部よりも大きな後部を有する発光部材と、
前記発光部材の前記前部内に、押し込み操作可能に設けられた操作部材と、
光を透過可能な薄さの合成樹脂により成形され、前記発光部材の前記後部を覆うように組み付けられるとともに、その外周縁に、前方へ立設されて前記後部の外側を覆う外壁部が設けられ、さらに前記外壁部の先端に、内側へ折り返されて前記段部と前記本体ケースとの間に介在される折り返し部が設けられた防水カバーと、
前記防水カバーの後面を覆うように配される光拡散板と、
ＬＥＤ及び前記操作部材により操作されるスイッチが搭載されており、前記光拡散板の後側に位置する制御基板とを備えており、
前記制御基板を前記本体ケースの内面側へ固定し、前記発光部材、前記防水カバー、及び前記光拡散板を前記制御基板と前記本体ケースの内面側とで挟み込んで固定することによって、前記防水カバーの前記折り返し部が、前記挿通孔の周縁部と前記発光部材の前記段部とにより、前記防水カバーの外縁部が前記発光部材の前記後部の先端と前記光拡散板とにより夫々前後から挟持されることを特徴とするインターホン機器。
【発明の詳細な説明】
【技術分野】
【０００１】
本発明は、たとえば玄関の壁面に設置され、来訪者により呼出操作されるインターホン子機等といったインターホン機器に関するものである。
【背景技術】
【０００２】
従来、たとえばインターホン子機のように、玄関の壁面等といった屋外に設置されるインターホン機器がある。また、インターホン機器には、たとえば呼出ボタン等といったように種々の操作ボタンが設けられている（たとえば特許文献１）。
【先行技術文献】
【特許文献】
【０００３】
【特許文献１】特開２００５−２３６５６５号公報
【発明の概要】
【発明が解決しようとする課題】
【０００４】
近年、操作ボタンを点灯させるようなインターホン機器が考案されており、操作ボタン部分における防水性の向上が望まれている。
【０００５】
そこで、本発明は、上記問題に鑑みなされたものであって、操作ボタン部分における防水性の更なる向上を図ることができるインターホン機器を提供しようとするものである。
【課題を解決するための手段】
【０００６】
上記目的を達成するために、本発明は、前面に挿通孔が開設された本体ケースと、透光性を有する合成樹脂により成形されているとともに、挿通孔を介して本体ケースの前面側に露出する前部、及び挿通孔の周縁部と前後方向で重なる段部を介して前部の後側に設けられ、正面視が前部よりも大きな後部を有する発光部材と、発光部材の前部内に、押し込み操作可能に設けられた操作部材と、光を透過可能な薄さの合成樹脂により成形され、発光部材の後部を覆うように組み付けられるとともに、その外周縁に、前方へ立設されて後部の外側を覆う外壁部が設けられ、さらに外壁部の先端に、内側へ折り返されて段部と本体ケースとの間に介在される折り返し部が設けられた防水カバーと、防水カバーの後面を覆うように配される光拡散板と、ＬＥＤ及び操作部材により操作されるスイッチが搭載されており、光拡散板の後側に位置する制御基板とを備えており、制御基板を本体ケースの内面側へ固定し、発光部材、防水カバー、及び光拡散板を制御基板と本体ケースの内面側とで挟み込んで固定することによって、防水カバーの折り返し部が、挿通孔の周縁部と発光部材の段部とにより、防水カバーの外縁部が発光部材の後部の先端と光拡散板とにより夫々前後から挟持されることを特徴とする。
請求項１に記載の発明によれば、制御基板を本体ケースの内面側へ固定し、発光部材、防水カバー、及び光拡散板を制御基板と本体ケースの内面側とで挟み込んで固定することによって、防水カバーの折り返し部が、挿通孔の周縁部と発光部材の段部とにより、防水カバーの外縁部が発光部材の後部の先端と光拡散板とにより夫々前後から挟持されるようになっている。したがって、操作ボタン部分における防水性の更なる向上を図ることができる。
【発明の効果】
【０００７】
本発明によれば、制御基板を本体ケースの内面側へ固定し、発光部材、防水カバー、及び光拡散板を制御基板と本体ケースの内面側とで挟み込んで固定することによって、防水カバーの折り返し部が、挿通孔の周縁部と発光部材の段部とにより、防水カバーの外縁部が発光部材の後部の先端と光拡散板とにより夫々前後から挟持されるようになっている。したがって、操作ボタン部分における防水性の更なる向上を図ることができる。
【図面の簡単な説明】
【０００８】
【図１】インターホン子機を前面側から示した説明図である。
【図２】呼出ボタン部分における垂直断面を示した説明図である。
【図３】呼出ボタン部分の分解状態を前側から示した斜視説明図である。
【図４】呼出ボタン部分の分解状態を後側から示した斜視説明図である。
【発明を実施するための形態】
【０００９】
以下、本発明の一実施形態となるインターホン子機について、図面にもとづき詳細に説明する。
【００１０】
図１は、インターホン子機１を前面側から示した説明図である。図２は、呼出ボタン６部分における垂直断面を示した説明図である。図３は、インターホン子機１における呼出ボタン６部分の分解状態を前側から示した斜視説明図であり、図４は、呼出ボタン６部分の分解状態を後側から示した斜視説明図である。
【００１１】
インターホン子機１は、前側に配置される前ケース２と、前ケース２の後面側に組み付けられる後ケース（図示せず）とで構成される本体ケースを備えている。この本体ケースの前面上部には、呼び出し操作した来訪者を撮像するためのカメラ部３、及び来訪者が居住者と通話するためのマイク部４等が設けられている。また、カメラ部３の下側には、来訪者が居住者と通話するためのスピーカ部５が設けられ、さらにその下側には、来訪者が居住者を呼び出す際に押し込み操作する呼出ボタン６が設けられている。そして、このようなインターホン子機１は、住戸の玄関の壁面等に設置されており、来訪者により呼出ボタン６が押し込み操作されると、カメラ部３により来訪者を撮像するとともに、住戸内に設置されているインターホン親機（図示せず）を呼び出すようになっている。なお、７は、本体ケースの前面に組み付けられる化粧パネルである。
【００１２】
ここで、本発明の要部となるインターホン子機１における呼出ボタン６部分の防水構造について説明する。
呼出ボタン６は、操作部材１１と、操作部材１１の周囲に配置される発光部材１２と、本体ケース内への水の浸入を防止する防水カバー１３と、光拡散板１４と、ＬＥＤ１５、１５・・やスイッチ１６が搭載された制御基板１７とを有する。操作部材１１は、前面が円形の操作面１１ａとされた透光性を有さない合成樹脂製の部材である。そして、操作面１１ａの周縁部から後方へむかって周壁部が立設されているとともに、周壁部の先端には、発光部材１２に掛止する掛止部２１が設けられている。また、操作面１１ａの後面中央には、防水カバー１３を介してスイッチ１６を操作する操作突起２２が後方へ突設されている。さらに、操作面１１ａの後面周縁際には、防水カバー１３に設けられた係合凹部３１、３１に係合する係合リブ２３、２３が突設されている。
【００１３】
発光部材１２は、透光性を有する合成樹脂製部材であって、内径が操作部材１１と操作面１１ａと略同じとされた円環状の前部２４と、内径及び外径ともに前部２４よりも大径とされた円環状の後部２５とを一体成形してなる。したがって、発光部材１２の外周面で、前部２４と後部２５との境界部分には、径方向外側へ突出する段部２６が形成されており、防水カバー１３に設けられた折り返し部２９が係止する被係止部として機能するようになっている。また、発光部材１２の境界部分における内周側には、同様に内径が拡がる抜け止め段部２７が設けられており、操作部材１１の掛止部２１が掛止することで操作部材１１の前方への抜け止めを可能としている。
【００１４】
防水カバー１３は、光を透過可能な程度に薄いシリコンゴム製の部材であって、発光部材１２の後部２５よりも僅かに大径な正面視円形に成形されている。そして、防水カバー１３の外周縁に沿っては、前方へ起立する外壁部２８が周設されている。また、外壁部２８の先端には、径方向内側へ折り返された折り返し部２９が設けられており、折り返し部２９の先端位置での開口径は、発光部材１２の前部２４と略同じ径となっている。一方、防水カバー１３の中央部は外縁部１３ａよりも前方へ隆起しており、当該隆起部には、操作突起２２が入り込む操作凹部３０と、係合リブ２３、２３が係合する係合凹部３１、３１とが設けられている。また、防水カバー１３における隆起部から外縁部１３ａにかけての表面は、径方向外側へ向かって徐々に後側へ傾斜する傾斜面３２とされている。なお、３３は、前ケース２の後面に設けられた位置決め凹部４３内へ嵌まり込む位置決め突起である。
【００１５】
光拡散板１４は、防水カバー１３と略同じ直径を有する円板体であって、透光性を有する合成樹脂により成形されており、その後面側には、多数の溝が刻設される等した拡散部１４ａが設けられている。また、光拡散板１４の中央には、スイッチ１６を露出させるための円形の開口３４が設けられている。なお、３５は、前ケース２の後面へ光拡散板１４をネジ止めするためのネジ止め部であり、３６は、制御基板１７を位置決めするためのボスである。
【００１６】
制御基板１７には、前面側の略中央にスイッチ１６が、その周囲で拡散部１４ａの後側に対応する位置にＬＥＤ１５、１５・・が夫々搭載されてなる。また、制御基板１７には、前ケース２の後面へ光拡散板１４と共にネジ止めするためのネジ孔３７、３７、及びボス３６が係合可能な切り欠き３８が設けられている。
【００１７】
一方、前ケース２には、呼出ボタン６を取り付けるためのボタン取付部が設けられている。このボタン取付部は、前ケース２の後面側から見て、前方へ凹んだ後面視円形の取付凹部４１と、取付凹部４１の底面（すなわち、前ケース２の前面）に開設された円形の挿通孔４２とからなる。取付凹部４１の開口径は、防水カバー１３の直径と略同じとされている一方、挿通孔４２の開口径は、取付凹部４１の開口径よりは小さく、発光部材１２の前部２４の外径と略同じとされており、取付凹部４１内へ発光部材１２を取り付けた際、発光部材１２のうち前部２４のみが挿通孔４２を介して前ケース２の前方へ突出し、本体ケースの前面側に露出するようになっている。なお、４３は、位置決め突起３３が嵌まり込み可能な位置決め凹部であり、４４は、光拡散板１４及び制御基板１７をネジ止めするための固定ボスである。
【００１８】
そして、上述したような呼出ボタン６の設置について説明すると、まず発光部材１２の後部２５側から操作部材１１を発光部材１２内へ嵌め込み、前部２４側から操作面１１ａを露出させる。次に、再び発光部材１２の後部２５側から、今度は防水カバー１３の隆起部を嵌め込んで、操作突起２２を操作凹部３０内へ入れ込むとともに、係合リブ２３、２３と係合凹部３１、３１とを係合させて、操作部材１１と防水カバー１３とを一体化する。また、防水カバー１３の折り返し部２９を、発光部材１２の後部２５の外側を回して段部２６前面に係止させ、防水カバー１３の外壁部２８及び折り返し部２９により発光部材１２の後部２５を外側から覆った状態とし、操作部材１１及び防水カバー１３と、発光部材１２とを一体化する。
【００１９】
さらに、一体化した状態のまま、挿通孔４２を介して発光部材１２の前部２４及び操作部材１１の操作面１１ａを前ケース２の前面側に露出させつつ、防水カバー１３の各位置決め突起３３を対応する位置決め凹部４３に嵌め込み、前ケース２の後面側に操作部材１１、発光部材１２、及び防水カバー１３を位置決めする。それから、防水カバー１３の後側を覆うように光拡散板１４をあてがった後、光拡散板１４の更に後側に制御基板１７を位置させて、ネジ４０、４０により制御基板１７を前ケース２へとネジ止めすれば、発光部材１２、防水カバー１３、及び光拡散板１４が、制御基板１７と前ケース２とで前後から挟み込まれて固定され、呼出ボタン６の設置は完了となる。
【００２０】
上述したように設置された呼出ボタン６にあって、防水カバー１３は、その折り返し部２９が、前ケース２の挿通孔４２周縁部と発光部材１２の段部２６とで前後から挟持された状態となっている。また、折り返し部２９の後方において防水カバー１３の外縁部１３ａが、発光部材１２の後端（後部２５の先端）と光拡散板１４とで前後から挟持された状態となっている。そして、防水カバー１３は、このように外周縁部で挟持された状態で、制御基板１７の前側を覆っており、たとえ操作部材１１と発光部材１２との隙間から、操作部材１２の後側へ水が浸入してきたとしても、防水カバー１３を超えて制御基板１７側へ、ひいては本体ケース内部への更なる浸入を防止するようになっている。また、防水カバー１３の隆起部から外縁部１３ａにかけては上述したような傾斜面３２とされているため、傾斜面３２ではなく垂直面とされたもの（すなわち、隆起部のみが前方へ隆起している構造のもの）と比べると、傾斜面３２部分における防水カバー１３と操作部材１１や発光部材１２との間の空間は狭くなっている。
【００２１】
また、上記呼出ボタン６にあっては、操作部材１１の操作面１１ａを押し込み操作すると、操作突起２２により防水カバー１３が押し込み方向（後方）へ押圧され、防水カバー１３の隆起部が後方へ撓むように変形し、スイッチ１６が操作されることになる。なお、押し込み操作が解除されると、防水カバー１３は自身の弾性力によって変形前の状態へと復帰し、当該復帰に伴って操作部材１１も押し出され、押し込み操作前の位置へ復帰する。なお、防水カバー１３の位置決め突起３３が、前ケース２の位置決め凹部４３へ嵌め込まれ、且つ、操作部材１１の係合リブ２３が、防水カバー１３の係合凹部３１に係合した状態にあるため、操作部材１１が前後方向を軸として回転することはない。
【００２２】
以上のような呼出ボタン６を備えたインターホン子機１によれば、防水カバー１３の折り返し部２９が、前ケース２の挿通孔４２周縁部と発光部材１２の段部２６とで前後から挟持された状態となっており、折り返し部２９の後方において防水カバー１３の外縁部１３ａが、発光部材１２の後端（後部２５の先端）と光拡散板１４とで前後から挟持された状態となっている。そして、防水カバー１３は、このように外周縁部で挟持された状態で、制御基板１７の前側を覆うようになっている。したがって、たとえ操作部材１１と発光部材１２との隙間から、操作部材１２の後側へ水が浸入してきたとしても、防水カバー１３を超えて制御基板１７側へ、ひいては本体ケース内部への更なる浸入が防止されることになり、高い防水性を発揮することができる。
【００２３】
また、防水カバー１３の隆起部から外縁部１３ａにかけては径方向外側へ向かって徐々に後側へ傾斜する傾斜面３２とされているため、傾斜面３２ではなく垂直面とされたものと比べると、傾斜面３２部分における防水カバー１３と操作部材１１や発光部材１２との間の空間は狭くなっている。したがって、操作部材１１と発光部材１２との隙間から防水カバー１３の前面側へ浸入し得る水の量を少なくすることができ、更なる防水性の向上を図ることができる。
【００２４】
さらに、防水カバー１３の位置決め突起３３を、前ケース２の位置決め凹部４３へ嵌め込み、且つ、操作部材１１の係合リブ２３を、防水カバー１３の係合凹部３１に係合させている。したがって、発光部材１２の前部２４内において操作部材１１が前後方向を軸として回転することを防止することができる。
【００２５】
なお、本発明に係るインターホン機器は、上記実施形態の態様に何ら限定されるものではなく、インターホン機器の全体的な構成は勿論、ボタン部分の構成や防水に係る構成についても、本発明の趣旨を逸脱しない範囲で、必要に応じて適宜変更することができる。
【００２６】
たとえば上記実施形態では、操作部材や発光部材、防水カバー等を全て正面視円形に成形しているが、それらを正面視方形に構成することも当然可能であり、その際には、挿通孔を方形孔とすればよい。
また、上記実施形態では、防水カバーの中央部に係合凹部や操作凹部等を有する隆起部を設けているが、そのような隆起部を有さない、ひいては係合凹部や操作凹部等をも有さない防水カバーとすることも可能である。
さらに、上記実施形態では呼出ボタン部分における防水構造としているが、非常ボタン等の他のボタン部分における防水構造としても適宜採用可能である。
加えて、上記実施形態ではインターホン子機について説明しているが、たとえば居室内に設置されるインターホン親機等の他のインターホン機器であってもよい。
【符号の説明】
【００２７】
１・・インターホン子機（インターホン機器）、２・・前ケース（本体ケース）、６・・呼出ボタン、１１・・操作部材、１２・・発光部材、１３・・防水カバー、１３ａ・・外縁部、１４・・光拡散板、１５・・ＬＥＤ、１６・・スイッチ、１７・・制御基板、２４・・前部、２５・・後部、２６・・段部、２８・・外壁部、２９・・折り返し部、４２・・挿通孔。
【図１】
2018170599.tif 000003
【図２】
2018170599.tif 000004
【図３】
2018170599.tif 000005
【図４】
2018170599.tif 000006